(57)【特許請求の範囲】
【請求項１】
上方に開口した開口部を有している外筐部と、
前記外筐部の内側に設けられ、前記開口部を介して洗濯物が入れられる槽部と、
前記外筐部に、ヒンジ機構によって上下に回動可能となるように取り付けられており、
該回動によって前記開口部を開閉する蓋部と、
前記蓋部の内側に設けられたフックと、
前記フックに係合する複数のハンガーと、を備え、
前記槽部に入れられた洗濯物を洗濯する洗濯動作、および、前記ハンガーから前記槽部内に向けて吊り下げられた乾燥対象物を乾燥させる吊り干乾燥動作を行う洗濯乾燥機であって、
前記蓋部を全開した状態で、前記フックに係合した前記ハンガーの角度がそれぞれ異なることを特徴とする洗濯乾燥機。
【請求項２】
前記蓋部を全開した状態は、前記蓋部の内側面が略鉛直方向に沿った状態であることを特徴とする請求項１記載の洗濯乾燥機。
【請求項３】
前記フックは、前後方向に延在して前記槽部側に凸の弓なり状の湾曲部と、該湾曲部の左右両側からそれぞれ前記蓋部へ延びる平板状の側壁部と、両側壁部を水平方向に貫通する複数の貫通孔とを備えることを特徴とする請求項１又は２記載の洗濯乾燥機。
【請求項４】
前記蓋部を閉じた状態で、前記貫通孔は前記槽部の中心より前方と後方に１つずつ位置することを特徴とする請求項３記載の洗濯乾燥機。
【請求項５】
前方の貫通孔の下方部分が、後方の貫通孔の下方部分より厚いことを特徴とする請求項４記載の洗濯乾燥機。
【請求項６】
前記ハンガーは着脱可能であることを特徴とする請求項１〜５の何れかに記載の洗濯乾燥機。
【請求項７】
前記蓋部を閉じた状態で、前記フックの下端が前記槽部の上端より上方に位置することを特徴とする請求項１〜６の何れかに記載の洗濯乾燥機。
【発明の詳細な説明】
【技術分野】
【０００１】
本発明は、衣類などの洗濯や乾燥に用いられる洗濯乾燥機に関する。
【背景技術】
【０００２】
従来、衣類などの洗濯や乾燥に用いられる洗濯乾燥機が広く利用されている。多くの洗濯乾燥機は、上方に開口した開口部を有する外筐部と、外筐部の内側に設けられ、開口部を介して洗濯物が出し入れされる槽部（例えば脱水槽）と、外筐部にヒンジ機構によって上下に回動可能となるように取り付けられており、該回動によって開口部を開閉する蓋部と、を備えた構成となっている。
【０００３】
これにより洗濯乾燥機は、蓋部を開けて洗濯物の出し入れ等が可能であるとともに、蓋部を閉じて内部を閉空間とすることが可能である。また洗濯乾燥機は、槽部内に供給された水を攪拌翼（パルセータ）を用いて撹拌することによって洗濯動作を行い、槽部内に温風を供給することによって乾燥動作を行う。
【０００４】
また洗濯乾燥機としては、内部にハンガー等を用いて衣類を吊り下げておき、この衣類を乾燥させること（吊り干乾燥）が可能なものも提案されている。吊り干乾燥によれば、槽部の底に積まれている衣類を乾燥させるような場合に比べて、一般的に乾燥効率が良く、また、皺等が付き難いため、好ましい状態での仕上がりが期待される。
【０００５】
例えば特許文献１には、洗濯槽を備えその上方に開口部を有する洗濯機本体と、開口部を覆うように設けられ出し入れ口を有する蓋体と、洗濯槽内に熱風を供給する熱風供給装置と、蓋体の出し入れ口にこれを開閉すべく枢設された開閉蓋と、蓋体の下面部にその出し入れ口と対応するように設けられたハンガーとを具備した洗濯機が開示されている。
【０００６】
また特許文献２には、内槽の上面開口の内側周縁部に内方へ突出した弧状又は環状のフランジと、内槽の上面開口を直径方向に横切ってフランジの対向部に両端部が載置されるハンガーを備え、乾燥モードではオゾン発生装置にて生成したオゾンが空気循環用送風機の運転にて内槽内へ供給され、ハンガーに掛けた洗濯物の除菌・消臭を行う乾燥機能付き洗濯機が開示されている。
【先行技術文献】
【特許文献】
【０００７】
【特許文献１】特開平１−２４９０９７号公報
【特許文献２】特開２０１１−２４９９０号公報
【発明の概要】
【発明が解決しようとする課題】
【０００８】
しかしながら、特許文献１では蓋体に開閉蓋を設け、その出し入れ口からハンガーを出し入れする構成となっているので、出し入れ口は当然蓋体よりも小さく、蓋体の強度を確保しようとすると出し入れ口をさらに小さくしなければならない。したがって、ハンガーへ衣類を掛けづらいものとなる。また、特許文献２では内槽にハンガーを掛けているので空間が狭く、ワイシャツのような長い洗濯物を掛けると内槽の底に支えて皺になることがある。
【０００９】
このように、吊り干乾燥できる従来の洗濯乾燥機では作業性が良くなかったり、乾燥の仕上がりが良くなかったりするという問題があった。
【００１０】
本発明は、吊り干乾燥させる際の作業性が良く、洗濯物を槽底に支えにくくすることで乾燥皺を抑えた洗濯乾燥機を提供することを目的とする。
【課題を解決するための手段】
【００１１】
上記目的を達成するために本発明の洗濯乾燥機は、上方に開口した開口部を有している外筐部と、前記外筐部の内側に設けられ、前記開口部を介して洗濯物が入れられる槽部と、前記外筐部に、ヒンジ機構によって上下に回動可能となるように取り付けられており、該回動によって前記開口部を開閉する蓋部と、前記蓋部の内側に設けられたフックと、前記フックに係合する複数のハンガーと、を備え、前記槽部に入れられた洗濯物を洗濯する洗濯動作、および、前記ハンガーから前記槽部内に向けて吊り下げられた乾燥対象物を乾燥させる吊り干乾燥動作を行う洗濯乾燥機であって、前記蓋部を全開した状態で、前記フックに係合した前記ハンガーの角度がそれぞれ異なる構成とする。
【００１２】
この構成によれば、蓋部の内側にフックを設けることで、機内の高い位置に簡単にハンガーを掛けることができるとともに、蓋部を全開したときにそれぞれのハンガーの角度が異なるのでハンガー同士が重ならない。
【００１３】
上記の洗濯乾燥機において、前記蓋部を全開した状態は、前記蓋部の内側面が略鉛直方向に沿った状態である。
【００１４】
また上記の洗濯乾燥機において、前記フックは、前後方向に延在して前記蓋部側が凹んだ弓なり状の湾曲部と、該湾曲部の左右両側からそれぞれ前記蓋部へ延びる平板状の側壁部と、両側壁部を水平方向に貫通する複数の貫通孔とを備えることが望ましい。このようなフック形状により、ハンガーがより掛けやすくなる。
【００１５】
また上記の洗濯乾燥機において、前記蓋部を閉じた状態で、前記貫通孔は前記槽部の中心より前方と後方に１つずつ位置することが望ましい。これにより、衣類が槽内に触れにくく、且つ十分な乾燥スペースを確保することができる。
【００１６】
また上記の洗濯乾燥機において、前方の貫通孔の下方部分が、後方の貫通孔の下方部分より厚いことが望ましい。これにより、前方の貫通孔に掛けられたハンガーがより水平に近く支持され、後方の貫通孔に掛けられたハンガーがより鉛直方向に近く支持されるので、それぞれのハンガーの角度が異なりハンガー同士が重ならない。
【００１７】
また上記の洗濯乾燥機において、前記ハンガーは着脱可能であることが望ましい。これにより、使用しない場合にハンガーを取り外しておくことで、汚れが付かず邪魔にもならない。
【００１８】
また上記の洗濯乾燥機において、前記蓋部を閉じた状態で、前記フックの下端が前記槽部の上端より上方に位置することが望ましい。これにより、吊り干乾燥時のフックの位置が高く、長い洗濯物でも槽底に支えにくくなる。
【発明の効果】
【００１９】
本発明によると、蓋部を全開したときにそれぞれのハンガーの角度が異なるので、ハンガー同士が重ならず衣類の着脱がしやすく、すなわち、吊り干乾燥させる際の作業性が良い。また、衣類が洗剤投入口等に触れて汚れることもない。
【００２０】
また本発明によると、蓋部の内側にフックを設けることで、蓋部を開けた状態でハンガーをフックに掛けやすく、すなわち、吊り干乾燥させる際の作業性が良い。さらに、吊り干乾燥時のフックの位置が高くなり、長い洗濯物でも槽底に支えにくくなる。その結果、乾燥皺を抑えることができる。
【図面の簡単な説明】
【００２１】
【図１】本発明の一実施形態の洗濯乾燥機の正面図である。
【図２】本発明の一実施形態の洗濯乾燥機の右側面図である。
【図３】本発明の一実施形態の洗濯乾燥機のフックの側面図である。
【図４】本発明の一実施形態の洗濯乾燥機のフックの側面図である。
【図５】本発明の一実施形態の洗濯乾燥機の上面板より下側の部分について概略化した右側断面図である。
【図６】ハンガーを取り付けた状態の本発明の一実施形態の洗濯乾燥機の正面図である。
【発明を実施するための形態】
【００２２】
以下、本発明の実施形態について、図面を参照しながら詳述する。図１は、本発明の一実施形態の洗濯乾燥機の正面図であり、図２は、その右側面図、図３及び図４はそのフックの側面図である。なお図１および図２は、蓋部１５が開かれた状態を表しており、図３は、蓋部１５が閉じられており、かつ、フック１８にハンガー２が掛けられている状態を表し、図４は、蓋部１５が開けられており、かつ、フック１８にハンガー２が掛けられている状態を表している。
【００２３】
また図５は、本発明の一実施形態の洗濯乾燥機の主な構造を理解容易とするため、上面板１１より下側の部分について概略化した洗濯乾燥機の右側断面図を示したものである。そして図６は、ハンガーを取り付けた状態の本発明の一実施形態の洗濯乾燥機の正面図である。
【００２４】
［洗濯乾燥機の全体的な構成等について］
以下、図１〜図６を参照しながら、洗濯乾燥機の全体的な構成等について説明する。洗濯乾燥機１は全自動型であり、直方体形状の外箱１０を備えている。外箱１０は、略直方体に成形され、その上側は開放されている。外箱１０の上側の開放部は上面板１１で覆われている。
【００２５】
上面板１１の前部には、洗濯乾燥機の操作を受け付ける操作部（操作ボタン等）が設けられている。上面板１１の背面側にはバックパネル１４が装着される。
【００２６】
上面板１１の中央部には、洗濯乾燥機１内に洗濯物を投入するための出入口（開口部）１１ａが設けられている。出入口１１ａは、バックパネル１４の前端部に設けたヒンジ部１５ａで枢支される蓋部１５によって開閉される。ヒンジ部１５ａは、洗濯乾燥機１の前後方向の中心より後側の位置に設けられている。
【００２７】
蓋部１５の周縁にはパッキン（不図示）が設けられ、蓋部１５の全閉状態では、出入口１１ａと蓋部１５との間が密封される。なお蓋部１５の前側には、全閉時に上面板１１の前側上部に引っ掛けて蓋部１５を係止（ラッチ）することが可能な、爪１５ｃが設けられている。爪１５ｃが上面板１１に引っ掛かっている状態では、蓋部１５は、上向きの力が加わっても開かないようになっている。
【００２８】
図２に示すように蓋部１５は、ヒンジ部１５ａの軸を中心にして、上下方向（前後方向と見ることも出来る）に回動可能となっている。なお以下の説明では、蓋部１５の回動方向の位置を、水平面を基準（０°）とした角度（開く方向を正とし、以下では「蓋部１５の角度」と称することがある）で表す。蓋部１５は図２に示すように、０°よりやや小さい位置（全閉の位置）から、９０°よりやや小さい位置（全開の位置）までの範囲内で、回動可能となっている。
【００２９】
なお、全開の位置は略９０°であれば、９０°や９０°よりやや大きい又はやや小さい位置であってもよく、例えば、７０〜９０°、８０〜９０°、９０〜１００°、９０〜１１０°、８０〜１００°、７０〜１１０°などとすることができる。
【００３０】
これによりユーザは、蓋部１５を上方向へ回動させて蓋部１５を開き、下方向へ回動させて蓋部１５を閉じることが可能である。蓋部１５が開かれている状態（換言すれば、出入口１１ａが開かれている状態）では、ユーザは、脱水槽３０に洗濯物などを投入したり、脱水槽３０から洗濯物などを取り出したりすることができる。
【００３１】
また蓋部１５における出入口１１ａに対向する面（内側の面）には、ハンガー（吊り具）２を掛けるためのフック１８が設けられている。フック１８及びハンガー２の詳細については後述する。これによりユーザは、図４および図６に示すように、蓋部１５を開けた状態で、衣類（乾燥対象物）を取り付けたハンガー２をフック１８に掛けることが可能である。したがって、吊り干乾燥させる際の作業性が良い。なお図４、図６では、衣類の表示については省略している。
【００３２】
この状態から、ユーザによって蓋部１５が閉じられる（換言すれば、出入口１１ａが閉じられる）ことにより、脱水槽３０内において衣類を吊り下げた状態とすることが可能である。後述する通り洗濯乾燥機１は、ハンガー２を用いて吊り下げられた衣類に対し、吊り干乾燥を行うことが可能となっている。
【００３３】
外箱１０の内部には、洗濯槽を兼ねる脱水槽３０と、脱水槽３０を収容する水槽２０が収容される。脱水槽３０は、洗剤を溶かした水またはすすぎ用の水（以下これらを総称して「洗濯水」という）を溜める。水槽２０及び脱水槽３０は、ともに上方に向けて開口した有底筒状のカップの形状を呈しており、各々軸線を垂直にして水槽２０を外側、脱水槽３０を内側とする形で同心的に配置される。
【００３４】
水槽２０は、サスペンション部材２１によって吊り下げられる。サスペンション部材２１は、水槽２０の外面下部と外箱１０の内面コーナー部とを連結する形で計４箇所に配備され、水槽２０を水平面内で揺動できるように支持している。
【００３５】
脱水槽３０は上方にテーパ状に広がる周壁を有し、この周壁にはその最上部に環状に配置した複数個の脱水孔３１を除いて、液体を通すための開口部はない。即ち、脱水槽３０はいわゆる「孔なし」タイプに形成される。脱水槽３０の上部開口部の縁には、洗濯物の脱水のため脱水槽３０を高速回転させたときに振動を抑制する働きをする、環状のバランサ３２が装着される。脱水槽３０の内部底面には、槽内で洗濯水の流動を生じさせるためのパルセータ３３が配置される。
【００３６】
水槽２０の下面には、駆動ユニット４０が取り付けられる。駆動ユニット４０はモータ４１及びクラッチ・ブレーキ機構４３を有している。クラッチ・ブレーキ機構４３は、モータ４１にベルト４２で連結され、脱水軸４４及びパルセータ軸４５が上方に突出する。クラッチ・ブレーキ機構４３は電磁力で動作し、脱水軸４４及びパルセータ軸４５の一方を、択一的にモータ４１に連結する。また、クラッチ・ブレーキ機構４３は電磁力によって脱水軸４４の回転にブレーキを掛けるとともに、ブレーキを解除する。
【００３７】
脱水軸４４とパルセータ軸４５は二重軸構造となっており、脱水軸４４が外側に配されてパルセータ軸４５が内側に配される。脱水軸４４は、水槽２０を貫通して脱水槽３０に連結され、脱水槽３０を軸支する。パルセータ軸４５は、水槽２０及び脱水槽３０を貫通してパルセータ３３に連結され、パルセータ３３を軸支する。脱水軸４４と水槽２０との間、及び脱水軸４４とパルセータ軸４５との間には、各々水もれを防ぐためのシール部材が配置される。
【００３８】
上面板１１の下側には、側面が蛇腹状である略筒形状の連結部品１７が固定されている。連結部品１７によって、脱水槽３０の回転等による水槽２０の振動が吸収されるように、上面板１１と水槽カバー２０ａとが連結されている。
【００３９】
また、上面板１１及び連結部品１７により、出入口１１ａの周囲と水槽２０の上面との間を遮蔽する遮蔽部が構成される。遮蔽部によって水槽２０と出入口１１ａとの間に密封空間が形成される。これにより、水槽２０の上面を開閉する内蓋を必要とせず、蓋部１５を閉じて洗濯及び乾燥を行うことができる。
【００４０】
外箱１０の後部の上面板１１上には、乾燥ユニットが設置されている。乾燥ユニットは、送風機やヒータなどを備えており、吊り干乾燥動作の実行時に、脱水槽３０の内周壁に沿って温風を吹き出す（脱水層３０内に温風を供給する）機能を有している。
【００４１】
また上面板１１における後側の部分には、給水口が設けられている。給水口は給水弁を介して市水に接続される。このように給水口及び給水弁は、脱水槽３０に給水する給水部を構成する。なお給水口は、埃などの異物が内部に入らないように配慮されている。
【００４２】
水槽２０の底部には、水槽２０及び脱水槽３０内の水を外箱１０の外部に排水する、排水ホース６０が取付けられている。脱水槽３０には、排水孔６２が同一円周上に４箇所設けられ、各排水孔６２と排水ホース６０との間は、排水ダクト６１により連結される。排水ダクト６１内には、排水弁６３が設けられる。排水弁６３を開くと、排水ダクト６１及び排水ホース６０を介して、脱水槽３０内の水が排水される。また、脱水時に脱水槽３０の上部から流出した水は、水槽２０の周壁と脱水槽３０の周壁との間を通って、排水ホース６０から排水される。
【００４３】
また洗濯乾燥機１は、蓋部１５の開閉状態を検知する蓋開閉センサ、脱水槽３０の水位を検知する水位センサ、脱水槽３０の内部の温度を検知する温度センサ、および脱水槽３０の内部の湿度を検知する湿度センサといった、各種のセンサが備えられている。
【００４４】
また洗濯乾燥機１には、ユーザの操作や各種センサの検出情報などに応じ、洗濯乾燥機１が適切に動作するように各部を制御する、制御装置が備えられている。当該制御装置は、例えば外箱１０の背面上部に配されており、モータ４１や乾燥ユニットなどを制御するようになっている。
【００４５】
上記構成の洗濯乾燥機１においては、出入口１１ａから脱水槽３０に洗濯物が入れられ、蓋部１５が閉じられる。ユーザによって洗濯条件が選択され、洗濯の開始が指示されると、蓋開閉センサにより蓋部１５が閉じたことを検知して、洗濯工程の動作が実行される。
【００４６】
洗濯工程では、排水弁６３を閉じて給水弁が開かれ、給水口から脱水槽３０に給水する。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌して洗濯動作が行われる。
【００４７】
洗濯工程を開始して所定時間が経過すると、排水弁６３を開いて脱水槽３０内の水が排水され、クラッチ・ブレーキ機構４３により、脱水軸４４がモータ４１に連結される。これにより、モータ４１の駆動によって脱水槽３０が高速回転して脱水動作が行われる。脱水槽３０の高速回転によって洗濯物から飛散した水は、排水ダクト６１及び脱水孔３１から流出する。
【００４８】
脱水動作を開始して所定時間が経過すると、モータ４１が停止され、排水弁６３を閉じて給水弁が開かれる。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌してすすぎ動作が行われる。
【００４９】
すすぎ動作を開始して所定時間が経過すると、上記の脱水動作が再度行われる。そして、脱水動作が所定時間行われると、洗濯工程が終了する。また洗濯乾燥機１は、ユーザによる吊り干乾燥動作の実行指示がなされたときには、吊り干乾燥動作を開始する。
【００５０】
吊り干乾燥動作は、温風を脱水槽３０内に供給して循環させることにより、吊り下げられた衣類の乾燥（吊り干乾燥）を行う動作である。すなわち洗濯乾燥機１は、予め衣類が吊り下げられた状態にて吊り干乾燥動作を行うことにより、当該衣類の吊り干乾燥を実現させる。
【００５１】
［フック及びハンガーの構成等について］
本実施形態のフック１８は、前後方向に延在して脱水槽３０側に凸の弓なり状の湾曲部１８ａと、湾曲部１８ａの左右両側からそれぞれ蓋部１５へ延びる平板状の側壁部１８ｂ、１８ｂと、両側壁部１８ｂ、１８ｂを水平方向に貫通する２つの貫通孔１８ｃ、１８ｄとを有し、蓋部１５にネジ等で固定される。
【００５２】
そして、２つの貫通孔１８ｃ、１８ｄの形状が異なり、貫通孔１８ｃ、１８ｄの周囲（貫通孔の枠となる部分）の厚みも異なる。すなわち、前側の貫通孔１８ｃは、略矩形の断面形状であり、図３の状態で下辺が後方に斜めに上がっている。一方、後側の貫通孔１８ｄは、略矩形の断面形状であり、図３の状態で下辺が水平となっている。また、貫通孔１８ｃ、１８ｄの枠となる部分は、図３の状態で、前側の貫通孔１８ｃの枠の下部（前側の貫通孔１８ｃの下方部分）が厚く、後側の貫通孔１８ｄの枠の下部（後側の貫通孔１８ｄの下方部分）が薄くなっている。
【００５３】
そしてハンガー２は、図６に示すように、略コ字型の部分を有しており、この略コ字型の部分がフック１８の貫通孔１８ｃ、１８ｄに掛けられるようになっている。
【００５４】
これにより、蓋部１５を開けた状態（図４の状態）では、ハンガー２の略コ字型の部分の上部が貫通孔１８ｃ、１８ｄと係合し、下部が湾曲部１８ａと係合するので、フック１８に掛けられたハンガー２、２は、それぞれ鉛直方向に対して斜めに支持される。さらに詳細には、図４の状態で、前側の貫通孔１８ｃに掛けられたハンガー２がより水平に近く支持され、後側の貫通孔１８ｄに掛けられたハンガー２がより鉛直方向に近く支持される。これは、前側の貫通孔１８ｃの枠の下部が厚く、後側の貫通孔１８ｄの枠の下部が薄いためである。
【００５５】
このように、蓋部１５を開けた状態で２つのハンガー２、２が異なった角度で支持されるので、ハンガー２、２に掛けられた衣類が重なりにくく、衣類の着脱作業がしやすい。また、後側の貫通孔１８ｄに掛けられたハンガー２が斜めに支持されることにより、衣類が上面板１１の洗剤投入口等に触れて汚れることもない。
【００５６】
一方、蓋部１５を閉じた状態（図３の状態）では、ハンガー２、２の略コ字型の部分の上部がそれぞれ貫通孔１８ｃ、１８ｄと係合し、下部は湾曲部１８ａから離れるので、フック１８に掛けられたハンガー２、２は、重力の作用によって下向き（衣類を自然に吊り下げる向き）となる。このように、ハンガー２がフック１８に着脱可能となっているので、先にハンガーへ衣類を掛けてからフック１８に吊り下げることができ、利便性が高い。
【００５７】
また、蓋部１５を閉じた状態で、２つの貫通孔１８ｃ、１８ｄはそれぞれ平面視で水槽２０の中心から前方と後方とに均等に配置されている。その際、２つの貫通孔１８ｃ、１８ｄは衣類同士が接触しない程度になるべく水槽２０の中心寄りに配置することで水槽２０内の空間を広く使えて有効である。
【００５８】
また、蓋部１５の内側の凹部にフック１８が設けられている。このように、凹部にフック１８を設けることで、吊り干乾燥時のフック１８の位置が高くなり、長い洗濯物でも槽底に支えにくくなる。さらに、フック１８が凹部内にほぼ収容されているので、蓋部１５を開放した状態でフック１８が洗濯物の出し入れの邪魔にならない。
【００５９】
また、閉じた状態の蓋部１５は前端から後方へ向かって上っているので、貫通孔１８ｄを蓋部１５のなるべく後ろ寄りに設けることで、吊り干乾燥時のハンガー２の位置が高くなり、長い洗濯物でも槽底に支えにくくなる。
【００６０】
なお、フック１８の下端が水槽２０の上端より上方に位置すれば、吊り干乾燥時のフック１８の位置が高く、長い洗濯物でも槽底に支えにくくなるといえる。したがって、本実施形態のように蓋部１５の内側にフック１８を設ければ、十分に高い位置に設けられているといえる。
【００６１】
なお、貫通孔の個数に限定はなく、少なくとも１つ以上であればよいが、本実施形態のように、蓋部１５を閉じた状態で、水槽２０の中心より前方と後方に１つずつ計２つ設ければ、衣類が槽内に触れにくく、且つ十分な乾燥スペースを確保することができる。
【００６２】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６３】
本発明は、上方に開口した開口部を開閉する蓋部を有する洗濯乾燥機に利用することができる。
【符号の説明】
【００６４】
１    洗濯乾燥機
２    ハンガー（吊り具）
１０    外箱（外筐部の一部）
１１    上面板（外筐部の一部）
１１ａ  出入口（開口部）
１４    バックパネル
１５    蓋部
１５ａ  ヒンジ部
１５ｃ  爪
１７    連結部品
１８    フック
１８ａ  湾曲部
１８ｂ  側壁部
１８ｃ、１８ｄ  貫通孔
２０    水槽
３０    脱水槽（槽部の一部）
３２    バランサ
３３    パルセータ
４０    駆動ユニット
４１    モータ
４２    ベルト
４３    クラッチ・ブレーキ機構
４４    脱水軸
４５    パルセータ軸
６０    排水ホース
６１    排水ダクト
６２    排水孔
６３    排水弁
【図１】
0005819668.tif 000002
【図２】
0005819668.tif 000003
【図３】
0005819668.tif 000004
【図４】
0005819668.tif 000005
【図５】
0005819668.tif 000006
【図６】
0005819668.tif 000007